(57)【特許請求の範囲】
【請求項１】
事務所において、用途毎のケーブルを布設する電路の種別を識別するため及び前記ケーブル表面に印字するケーブル固有の識別符号を生成するための布設指示情報を符号化したバーコード又は２次元コードを、帳票印字装置がケーブル作業指示用の帳票に印字し、
前記用途毎のケーブルを作成する現場において、コード読取装置が前記帳票のバーコード又は２次元コードを走査して取得した前記布設指示情報を基に、新たに生成する前記用途毎のケーブル固有の識別符号を発行部が発行し、
長尺のケーブルが巻き付けられたドラムから前記用途毎のケーブルを引き出しながら前記ケーブル固有の識別符号と前記ケーブルを布設する電路の情報とを、カラー印字部が前記電路の種別に応じた色で前記ケーブルに印字し、
用途に適した長さで切断した前記用途毎のケーブルを、前記ケーブルに印字された色と前記電路に表示された電路の種別色とを合わせて前記電路に布設する、ケーブル管理方法。
【請求項２】
前記カラー印字部は、前記識別符号と前記電路の情報とを前記ケーブルの側面の２以上の箇所に印字する請求項１に記載のケーブル管理方法。
【請求項３】
事務所に配置され、用途毎のケーブルを布設する電路の種別を識別するため及び前記ケーブル表面に印字するケーブル固有の識別符号を生成するための布設指示情報を、この布設指示情報を符号化したバーコード又は２次元コードと共にケーブル管理用の帳票に印字する帳票印字装置と、
前記用途毎のケーブルを作成する現場に配置され、前記帳票のバーコード又は２次元コードを走査して前記布設指示情報を取得するコード読取装置と、
前記コード読取装置により取得された前記布設指示情報を基に、新たに生成する前記用途毎のケーブル固有の識別符号を発行する発行部と、
長尺のケーブルが巻き付けられたドラムから前記用途毎のケーブルを引き出しながら前記ケーブル固有の識別符号と前記ケーブルを布設する電路の情報とを、前記電路の種別に応じた色で前記ケーブルに印字するカラー印字機構と
を具備するケーブル管理システム。
【請求項４】
前記カラー印字機構は、印刷装置を２以上有し、前記識別符号と前記電路の情報とを前記ケーブルの側面の２以上の箇所に印字する請求項３に記載のケーブル管理システム。
【請求項５】
用途毎のケーブルを布設する電路の種別を識別するため及び前記ケーブル表面に印字するケーブル固有の識別符号を作成するための布設指示情報がバーコード又は２次元コードで印字された帳票のバーコード又は２次元コードを走査して前記布設指示情報を取得するコード読取装置と、
長尺のケーブルが巻き付けられたドラムから前記用途毎のケーブルを引き出しながら、指示された色で情報を前記ケーブルに印字可能なカラー印字機構と
が接続されたケーブル管理装置において、
前記用途毎のケーブルを作成するための管理情報が記憶される管理情報記憶部と、
前記コード読取装置により取得された前記布設指示情報を基に、新たに生成する前記用途毎のケーブル固有の識別符号を発行し、前記ケーブル固有の識別符号と電路の種別とを対応付けて前記管理情報記憶部に記憶させる発行部と、
前記電路の種別毎に前記ケーブルに印字する対象とその色を記憶した印字情報記憶部と、
前記布設指示情報を基に前記印字情報記憶部より前記電路の種別に応じた印字対象と色を特定し、前記管理情報記憶部から印字対象の情報を読み出し、前記カラー印字機構に前記印字対象の情報を前記色で前記ケーブルに印字させる制御部と
を具備するケーブル管理装置。
【請求項６】
前記印字情報記憶部には印字する対象としてケーブルトレイの識別情報とケーブルの識別符号とそれぞれの色が設定されている請求項５に記載のケーブル管理装置。
【請求項７】
前記印字情報記憶部には印字する対象としてラインとその色が設定されている請求項６に記載のケーブル管理装置。
【請求項８】
前記カラー印字機構は、印刷装置を２以上有し、前記識別符号と前記電路の情報とを前記ケーブルの側面の２以上の箇所に印字する請求項５乃至７のいずれか１項に記載のケーブル管理装置。
【発明の詳細な説明】
【技術分野】
【０００１】
本発明の実施形態は、ケーブル管理方法、ケーブル管理システムおよびケーブル管理装置に関する。
【背景技術】
【０００２】
現在、発電所などの電力施設内では、ドラムに巻き付けられたケーブルを、工事対象部位の布設長で引き出し切断し、電路の種別毎に区分して配置された複数のケーブルトレイや電線管の中から該当するものに布設する作業が行われている。
【０００３】
通常ケーブルトレイや電線管にはその側面部などに電路を識別するためのコードなどが表示されており、作業者はそのコードを視認して、該当するケーブルを布設する。
【０００４】
ところで、電路が長くケーブルの出元が目視できないようなケースでケーブルをケーブルトレイに布設する際には、ケーブルトレイの表記により電路はわかるものの、ケーブルには電路の目印はないか、あったとしてもケーブルの端部に限定されることから、ケーブルをたどってケーブルの出元を確認した上で、ケーブルを該当する種別の電路のケーブルトレイに布設する必要がある。
【０００５】
また既にケーブルが布設されているケーブルトレイには、１つのトレイに多数のケーブルが布設され、それが多段に及んでいることも多いことから、保守作業でケーブルの入れ替えや繋ぎ替えを行う際には、配線ミスをしないように電路（接続元、配線の流れ、中継部、接続先など）を細心の注意を払って確認した上で作業を行う必要がある。
【先行技術文献】
【特許文献】
【０００６】
【特許文献１】特許５２６１９９４号公報
【発明の概要】
【発明が解決しようとする課題】
【０００７】
従来の場合、ケーブルは汎用のドラムから切り出したもののため布設する電路を示す表記はなく、正しい電路を選択する作業に注意を要するという問題がある。また、既に布設されたケーブルの入れ替えや繋ぎ替えを行う際には、ケーブルの外見は全て同様であるため、対象のケーブルを特定するために、ケーブルの出元をたどるなどの確認作業が必要であるという問題があった。
【０００８】
本発明が解決しようとする課題は、現場において汎用ドラムから所定の長さだけ引き出し切断して布設するケーブルの電路、布設箇所をケーブル自体で確認しつつ布設および保守の作業を行うことができるケーブル管理方法、ケーブル管理システムおよびケーブル管理装置を提供することにある。
【課題を解決するための手段】
【０００９】
実施形態のケーブル管理方法は、事務所において、用途毎のケーブルを布設する電路の種別を識別するため及び前記ケーブル表面に印字するケーブル固有の識別符号を生成するための布設指示情報を符号化したバーコード又は２次元コードを、帳票印字装置がケーブル作業指示用の帳票に印字し、前記用途毎のケーブルを作成する現場において、コード読取装置が前記帳票のバーコード又は２次元コードを走査して取得した前記布設指示情報を基に、新たに生成する前記用途毎のケーブル固有の識別符号を発行部が発行し、長尺のケーブルが巻き付けられたドラムから前記用途毎のケーブルを引き出しながら前記ケーブル固有の識別符号と前記ケーブルを布設する電路の情報とを、カラー印字部が前記電路の種別に応じた色で前記ケーブルに印字し、用途に適した長さで切断した前記用途毎のケーブルを、前記ケーブルに印字された色と前記電路に表示された電路の種別色とを合わせて前記電路に布設する。
【図面の簡単な説明】
【００１０】
【図１】実施形態のケーブル管理システムの構成を示す図である。
【図２】ケーブル作業指示用帳票の印字内容の一例を示す図である。
【図３】カラー印字機構の構成を示す図である。
【図４】カラー印字機構により印字された用途毎のケーブルを示す図である。
【図５】管理テーブルの一例を示す図である。
【図６】印字情報テーブルの一例を示す図である。
【図７】ケーブルトレイにケーブルを布設した例を示す図である。
【図８】電線管にケーブルを布設した例を示す図である。
【発明を実施するための形態】
【００１１】
以下、図面を参照して、実施形態を詳細に説明する。  
【００１２】
（第１実施形態）  
図１は一つの実施の形態のケーブル管理システムを示す図、図２はケーブル作業指示用帳票の印字内容の一例を示す図である。  
図１に示すように、この実施形態のケーブル管理システムは、例えば発電所などの電力施設の事務所または発電所外の事務所などに設置された機器１ａと、例えばデータセンタなどに設置された機器１ｂと、例えばケーブル切り出し作業を行う作業現場の機器２とをネットワーク７を介して接続したものである。
【００１３】
事務所の機器１ａは、ノート型コンピュータ１７（以下「ノートＰＣ１７」と称す）と、このノートＰＣ１７に接続された帳票印字装置としてのプリンタ１６とを含む。ノートＰＣ１７にはＵＳＢポート（図示せず）が設けられており、このポートにＵＳＢメモリ１８を接続することでデータの受け渡しが可能である。
【００１４】
この例では予めサーバ１０からケーブル８に関する情報（ケーブルＩＤ発行履歴の情報やケーブル布設指示情報など）をダウンロードしておき、ＵＳＢメモリ１８に記憶しておき、そのＵＳＢメモリ１８を作業現場２へ持参し、作業現場２のノートＰＣ４に接続し、情報を読み込ませるものとする。
【００１５】
プリンタ１６は、セットされた所定書式のケーブル作業指示用帳票２０（図２参照）の各欄に情報を印字する。
【００１６】
図２に示すように、プリンタ１６により印字されたケーブル作業指示用帳票２０は、ドラムから引き出して切断したケーブル８一本一本を管理するための記録媒体であり、ケーブル８の詳細情報が印字される帳票の部分の領域２１を有する。
【００１７】
帳票の部分には、ケーブルの論理的な意味を表すケーブル番号とケーブル８を布設する電路の種別を識別するための識別情報として、例えばケーブルトレイの番号などの電路種別が記載されている。この他、ケーブルの種類、心数、サイズ、ケーブル８の接続先（接続元，接続先）、及びケーブルを布設する経路（ケーブルルート）が印字されている。
【００１８】
帳票の部分は、オペレータが、布設するケーブル８の情報を目視で確認するためのものであり、バーコード２４は、指示情報を光学的または電気的に読み取り処理するためのものである。
【００１９】
データセンタの機器１ｂは、データベース１１（以下「ＤＢ１１」と称す）、通信部１２、制御部１３を有する。
【００２０】
ＤＢ１１には、切断し布設したケーブル８の使用履歴を管理するためのケーブル履歴情報が登録されている。ケーブル履歴情報としては、例えば切断したケーブル８一本一本を識別する識別情報としてのケーブルＩＤに対応付けて、ケーブルの種類、心数、サイズ、ケーブル８の接続先（接続元，接続先）、使用用途、布設場所、布設日時、保守履歴などが登録されている。
【００２１】
通信部１２は事務所のノートＰＣ１７とネットワーク７を通じて通信することによりケーブル８の情報の授受を行う。ノートＰＣ１７からはケーブル作業結果の情報がサーバ１０へ送られるので、この情報が通信部１２により受信される。
【００２２】
制御部１３はノートＰＣ１７との通信により得られた情報（例えばケーブル８の布設結果の情報など）をＤＢ１１に登録しケーブル８の情報を一括管理する。またノートＰＣ１７からの要求に応じてケーブル８の情報をＤＢ１１から読み出しノートＰＣ１７へ提供する。
【００２３】
作業現場の機器２は、コードリーダ３と、カラー印字機構５と、これらの機器が接続されたケーブル管理装置としてのノートＰＣ４とを含む。
【００２４】
コードリーダ３はケーブル作業指示用帳票２０に印字されているバーコード２４およびドラム６に貼り付けられているラベル６１のバーコード（図示せず。）を読み取る。この例ではバーコード２４を示したが、この他、例えばＱＲコードやその他の２次元コードを用いることができる。ＱＲコードは登録商標である。
【００２５】
図１、３に示すように、カラー印字機構５は、長尺のケーブル８を引き出しつつ文字やラインなどの情報をカラー印字可能な印字装置であり、文字色毎のプリンタユニット＃１_５１〜＃４_５４（以下「プリンタ＃１_５１〜＃４_５４」と称す）とケーブル８の送り機構５６とプリンタヘッド５７を有する。つまりカラー印字機構５は、印刷装置（プリンタ＃１_５１〜＃４_５４）を２以上有し、電路種別とケーブルＩＤをケーブル８の側面（表面または被覆面ともいう）の２以上の箇所に印字する。
【００２６】
送り機構５６は水平（横）および垂直（縦）の方向にケーブル８を挟持して送り出すための駆動ローラを有する。プリンタ＃１_５１〜＃４_５４は例えばインクジェットプリンタなどである。プリンタヘッド５７はケーブル８の表面にバブル状のインクを吹き付けて情報を印字する。なおこれ以外に、例えばロール印刷などの他の印刷技術を用いてもよい。
【００２７】
例えばプリンタ＃１_５１は黄色で文字、コード、記号、線などを含む情報を印字する。プリンタ＃２_５２は緑色で文字、コード、記号、線などを含む情報を印字する。プリンタ＃３_５３は赤色で文字、コード、記号、線などを含む情報を印字する。
【００２８】
プリンタ＃４_５４は青色で文字、コード、記号、線などを含む情報を印字する。このカラー印字機構５により電路種別「ＡＡＡ１」とケーブルＩＤ「ＸＸＸＸ−００１」といったコード（文字）が印字され、図４に示すように、用途毎のケーブル８が作成される。
なお、プリンタヘッド５７を、図３に示すように、対向配置させることにより、ケーブル８の表面２ヶ所に印字することが可能であり、必要に応じてプリンタヘッド５７を増やすことによりケーブル８の表面の必要な場所に印字可能となる。
さらに、送り機構５６の水平および垂直の方向に加え、ケーブル８の軸を回転させる方向の駆動ローラ（図示せず）を設けることにより、ケーブル８にコード（文字）を螺旋状に印字可能となる。
【００２９】
ノートＰＣ４は、発行部４０、記憶部４１、外部メモリリーダとしてのＵＳＢポート４２、制御部４３、キーボードなどの入力部４４と、モニタなどの表示部４５とを有する。
【００３０】
ＵＳＢポート４２はＵＳＢメモリ１８などの記憶媒体が接続されることで、ケーブル８の情報の受け渡しを行う。ＵＳＢポート４２は例えばノートＰＣ１７にてケーブル８の情報が記憶されたＵＳＢメモリ１８から、ケーブル８の情報を読み出す。
【００３１】
発行部４０はコードリーダ３が読み取ったケーブル作業指示用帳票２０の布設指示情報とドラム６の情報（ドラム番号）を取得し、ＵＳＢメモリ１８に記憶されているケーブル８の情報を読み出し、この情報に含まれる発行済みのケーブルＩＤ（既存のＩＤ）と一致しない新たなケーブルＩＤを発行し、発行したケーブルＩＤに、ＵＳＢメモリ１８から得られたケーブル８の情報とキー入力されたケーブル８の情報とを対応付けて記憶部４１の管理テーブル４１ａに登録する。
【００３２】
すなわち、発行部４０はコードリーダ３により取得された布設指示情報とキー入力された切断位置を基に、ＵＳＢメモリ１８の情報を参照し、サーバ１０側で管理されている既に発行済みのケーブルＩＤ（ケーブル固有の識別情報）と重複しないよう新たに生成する用途のケーブルＩＤを発行し、発行したケーブルＩＤ、トレイ番号、ドラム番号、切断位置を対応付けて記憶部４１に記憶する。
【００３３】
記憶部４１には管理情報記憶部としての管理テーブル４１ａ（図５参照）と印字情報記憶部としての印字情報テーブル４１ｂ（図６参照）が記憶されている。
【００３４】
図５に示すように、管理テーブル４１ａには、発行されたケーブルＩＤに、トレイ番号、ドラム番号、切断位置が対応して記憶される。
【００３５】
ケーブルＩＤは切断したケーブル８の個体を識別するための識別情報でありその都度発行されるＩＤである。トレイ番号は照会要求によりサーバ１０から得られるケーブルトレイの識別情報である。ケーブルトレイは電路の種別毎に離して配置される。種別とは例えば常用、非常用などである。ドラム番号はドラム６のラベル６１のバーコードから得られる情報である。
【００３６】
切断位置のＦｒｏｍ点は、ドラム６に巻かれている切断前のケーブル８の初めの長さであり、Ｔｏ点はドラム６からケーブル８を引き出して切断する位置の長さを示す。例えばＦｒｏｍ点が９００ｍでＴｏ点が７５０ｍであれば、切断して作成される用途毎のケーブル８の長さはその差分の１５０ｍである。
【００３７】
図６に示すように、印字情報テーブル４１ｂには、電路種別としてのトレイ番号毎に電路色、ライン色および印字対象が対応付けて記憶されている。電路種別はトレイ番号以外に電線管ＩＤの場合がある。電路色はケーブル８に印字する情報の色を指定する情報である。
【００３８】
印字対象は、印字する情報を示しており、この図６の例では電路種別が「ＡＡＡ１」というコードの場合、電路種別とケーブルＩＤが印字対象であり、図５の管理テーブル４１ａより「ＡＡＡ１」と「ＸＸＸＸ−００１」というコード（文字）が印字される。
【００３９】
ライン色はケーブル８に電路種別とケーブルＩＤ以外の情報、例えばライン（線）を印字する場合にそのラインの色を指定する情報である。
【００４０】
図６の印字情報テーブル４１ｂの例では、電路種別が「ＡＡＡ２」というコードの場合、トレイ番号とケーブルＩＤの他にラインも印字対象であり、「ＡＡＡ１」と「ＸＸＸＸ−００２」と「色付きの線」が印字される。
【００４１】
「色付きの線」については線幅や線の長さが固定値で設定されているものとする。印字対象の情報は、電路種別とケーブルＩＤのみで変更することがない固定値の場合はテーブル外の記憶領域か制御部４３に予め設定しておくものとする。
【００４２】
この例では、電路色とライン色は、同色であるが、異なるように設定してもよい。この他、印字情報として、文字種やラインの幅、長さ、間隔なども設定してもよい。デフォルト設定では、例えば文字やラインは３ｍ間隔、ラインは連続などとされているものとする。
【００４３】
制御部４３は、布設指示情報を基に印字情報テーブル４１ｂよりトレイ番号（電路の種別）に応じた印字対象（この例では電路種別とケーブルＩＤ）と色（緑色）を特定し、管理テーブル４１ａから印字対象の情報（「ＡＡＡ１」と「ＸＸＸＸ−００１」）を読み出し、カラー印字機構５に印字対象の情報（「ＡＡＡ１」と「ＸＸＸＸ−００１」）を色（緑色）でケーブル８に印字させる。
【００４４】
続いて、この実施形態のケーブル管理システムを導入したケーブル布設作業の手順を説明する。  
新たなケーブル８をケーブル布設場所のケーブルトレイに布設する場合、ドラム６に巻き付けられた長尺のケーブル８を切断して用途毎のケーブル８を生成することになる。
【００４５】
この場合、事務所のノートＰＣ１７において、ケーブル８の布設指示情報を作成し、その指示情報を符号化したバーコード２４の印刷データをプリンタ１６へ出力することで、ケーブル作業指示用帳票２０に布設指示情報と共にバーコード２４が印字される。
【００４６】
作業者は、事務所で作成したバーコード２４付きのケーブル作業指示用帳票２０とＵＳＢメモリ１８を、ケーブル切断作業場所であるドラム６が置かれている建屋に持ち込み、用途毎のケーブル８を作成する作業を行う。
【００４７】
この用途毎のケーブル８を作成する場合、まず、ＵＳＢメモリ１８をノートＰＣ４に接続し、ＵＳＢメモリ１８のケーブルに関する情報を取り込む。
続いて、コードリーダ３でケーブル作業指示用帳票２０のバーコード２４をスキャン（走査）して、バーコード２４の布設指示情報をノートＰＣ４に取り込む。
【００４８】
また、ドラム６に貼り付けられているラベル６１のバーコードをコードリーダ３でスキャンし、バーコードで示されるドラム番号をノートＰＣ４に取り込む。
【００４９】
ノートＰＣ４では、発行部４０が、取得した布設指示情報とＵＳＢメモリ１８から取り込んだケーブルに関する情報を基に、新たに生成する用途毎のケーブルＩＤを発行する。
【００５０】
ケーブルＩＤを発行する場合、発行部４０はＵＳＢメモリ１８から取り込んだケーブルの情報に含まれる発行済みのケーブルＩＤを読み出し、読み出した発行済みのケーブルＩＤと重複しない唯一無二のＩＤを発行する。
【００５１】
発行部４０は、新たに発行したケーブルＩＤと取得した布設指示情報に含まれるケーブル８を布設するための電路の情報と、ドラム６のラベル６１から読み取ったドラム番号とキー入力されたケーブル８の長さの情報（切断位置のｆｒｏｍ、Ｔｏ）を対応させて記憶部４１の管理テーブル４１ａに記憶する。
【００５２】
そして、ドラム６のケーブル８を引き出してカラー印字機構５にセットした後、入力部４４より印字開始操作を行うと、制御部４３は、印字情報テーブル４１ｂを参照して電路の種別に応じた印字色と印字する情報（ケーブルＩＤと電路種別）を特定し、カラー印字機構５を制御して、ドラム６からケーブル８を引き出しながらケーブル８にケーブルＩＤと電路種別とを該当印字色で印字する。
【００５３】
作業者は、このようにカラー印字機構５で印字し、用途に適した長さで切断して生成した用途毎のケーブル８（図４参照）を布設作業場所に持ち込み、図７に示すように、ケーブル８に印字された文字８１（ケーブルＩＤと電路種別）とその色と、ケーブルトレイ９に表示されたトレイ番号７１とその色（電路の種別色）を目視で一致していることを確認しながらケーブルトレイ９にケーブル８を布設する。
【００５４】
このようにこの実施形態のケーブル管理システムによれば、現場においてケーブル８を作成する際に、ケーブル８自体に、電路種別（電路を示す情報）とケーブルＩＤ（ケーブル個体を示す情報）の組みで文字８１を印字することで、ドラム６から所望の長さだけ引き出し切断して使用するケーブル８の電路、布設箇所をケーブル８自体で確認しつつ布設作業を行うことができる。
【００５５】
また保守作業の際には、電路に既に布設されている多数のケーブル８の中から保守対象のケーブル８を容易に特定することができる。さらに、複数及び螺旋状に印字することにより、ケーブルの向きによって、印字が見えづらくなることを防止できる。
【００５６】
また、本実施形態では、以下のような効果が得られる。  
１．電路の途中であっても、ケーブル８の用途を特定できるため、用途毎に正しく作成されたケーブル８が該当電路に布設されているかを目視で確認できる。
【００５７】
２．ケーブル８を延長するなどの保守作業を行う際に、正しい電路に区別してケーブル８を布設することができる。
【００５８】
３．ケーブル８を実際に布設する作業現場において、用途に応じて切断したケーブル８に電路種別とケーブルＩＤといったコード（文字）を印字するので、印字する際にケーブル８の印字位置を調整したり、ケーブル表面に螺旋状に印字することで、ケーブル８を布設した後に視認しやすい箇所に印字でき、ケーブル８の印字情報の視認性を向上することができる。
【００５９】
４．ケーブル８にそれぞれ唯一無二のＩＤを付与（印字）しているので、ケーブルの布設後においても個々のケーブル８の管理が可能になり、布設工事の履歴確認、ケーブル８のメンテナンスやケーブル８の使用状況確認などの作業性を向上することができる。そして、このケーブルＩＤの印字をも利用して電路の種別色と対応付けているので、ケーブルＩＤという有益な情報を電路との対応識別情報として兼用できる。
【００６０】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６１】
上記実施形態では、電路の一例としてケーブルトレイ９を例示し、ケーブルトレイ９にケーブル８を布設する例を説明したが、この他、例えば図８に示すように、ケーブル８（電線管７３）を中継する中継箱としてのプルボックス７３を用いるケースもある。
【００６２】
プルボックス７３にケーブル８を布設する際にも、作業者は、電線管７２に表示されている電線管ＩＤ７４とケーブル８に印字されているコード（文字）との一致を確認しつつ作業を進められるので、このケースについても有効である。
【００６３】
また上記実施形態に示したサーバ１０やノートＰＣ４の各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００６４】
３…コードリーダ
４…ノートＰＣ
５…カラー印字機構
６…ドラム
７…ネットワーク
８…ケーブル
９…ケーブルトレイ
１０…サーバコンピュータ
１１…データベース
１２…通信部
１３…制御部
１４…入力装置
１５…表示装置
１６…プリンタ
２０…ケーブル作業指示用帳票
４０…発行部
４１…記憶部
４１ａ…管理テーブル
４１ｂ…印字情報テーブル
４２…ＵＳＢポート
４３…制御部
４４…入力部
４５…表示部
５６…送り機構
５７…プリンタヘッド
６１…ラベル
７２…電線管
７３…プルボックス
【図１】
0006771305.tif 000002
【図２】
0006771305.tif 000003
【図３】
0006771305.tif 000004
【図４】
0006771305.tif 000005
【図５】
0006771305.tif 000006
【図６】
0006771305.tif 000007
【図７】
0006771305.tif 000008
【図８】
0006771305.tif 000009